(57)【特許請求の範囲】
【請求項１】
ダウンリンク伝送を受信する局によるワイヤレス通信のための方法であって、
局についての決定的スロットカウントを含むダウンリンク伝送を受信することであって、前記決定的スロットカウントは、前記ダウンリンク伝送に対する応答を送信するために前記局が待機すべき、次の送信機会からのバックオフ期間を示す、受信することと、
前記ダウンリンク伝送において受信された前記決定的スロットカウントに少なくとも部分的に基づいて、戻りフレームを送信するための前記次の送信機会のタイミングを前記局において決定することと
を備える、方法。
【請求項２】
前記送信機会中に応答フレームを送信すること
をさらに備える、請求項１に記載の方法。
【請求項３】
前記次の送信機会のタイミングを決定することが、
前記ダウンリンク伝送の受信後に前記決定的スロットカウントによって開始されるバックオフカウンタをカウントダウンすること
を備える、請求項１に記載の方法。
【請求項４】
前記次の送信機会のタイミングを決定することが、
前記ダウンリンク伝送の受信後に前記決定的スロットカウントに等しい受信されたフレームの数をカウントダウンすること
を備える、請求項１に記載の方法。
【請求項５】
前記局において保証開始時間を受信することであって、前記保証開始時間は前記局についての後続の送信機会を示す、受信することと、
前記決定的スロットカウントではなく前記保証開始時間に基づいて、前記応答フレームを送信するための前記後続の送信機会を決定することと
をさらに備える、請求項１に記載の方法。
【請求項６】
前記ダウンリンク伝送が空間分割多元接続（ＳＤＭＡ）を通じて受信される、請求項１に記載の方法。
【請求項７】
前記ダウンリンク伝送が、対応する複数の局についての複数の決定的スロットカウントをさらに備える、請求項１に記載の方法。
【請求項８】
ＣＦ−ｅｎｄフレームを受信することをさらに備える、請求項１に記載の方法。
【請求項９】
１つまたは複数の局へのダウンリンク伝送についてネットワーク割当てベクトル（ＮＡＶ）通信期間を設定することと、
送信機会を決定する際に局が使用するための決定的スロットカウントを備えるダウンリンク伝送を前記局に送ることであって、前記決定的スロットカウントは、前記ダウンリンク伝送に対する応答を送信するために前記局が待機すべき、次の送信機会からのバックオフ期間を示す、送ることと、
決定された送信機会において送信される前記局からのアップリンク伝送を前記ＮＡＶ通信期間の満了より前に受信することであって、前記送信機会は前記決定的スロットカウントから少なくとも部分的に決定される、受信することと
を備える、ワイヤレス通信のための方法。
【請求項１０】
前記アップリンク伝送が、前記決定的スロットカウントに基づいて決定された送信機会において受信される、請求項９に記載の方法。
【請求項１１】
前記ダウンリンク伝送が保証開始時間をさらに備え、前記保証開始時間は、前記局についての次の送信機会の開示時間を示しており、
前記アップリンク伝送が、前記保証開始時間に基づいて決定された前記次の送信機会において受信される、
請求項９に記載の方法。
【請求項１２】
前記ダウンリンク伝送が空間分割多元接続（ＳＤＭＡ）を通じて他のダウンリンク伝送と同時に送られる、請求項９に記載の方法。
【請求項１３】
前記ダウンリンク伝送が、対応する複数の局についての複数の決定的スロットカウントをさらに備える、請求項９に記載の方法。
【請求項１４】
前記ＮＡＶ通信期間の終了を示すＣＦ−Ｅｎｄフレームを送ること
をさらに備える、請求項９に記載の方法。
【請求項１５】
局についての決定的スロットカウントを含むダウンリンク伝送を受信するための手段であって、前記決定的スロットカウントは、前記ダウンリンク伝送に対する応答を送信するために前記局が待機すべき、次の送信機会からのバックオフ期間を示す、受信するための手段と、
前記決定的スロットカウントに少なくとも部分的に基づいて、戻りフレームを送信するための送信機会のタイミングを前記局において決定するための手段と
を備える、ワイヤレス通信のための装置。
【請求項１６】
前記決定された送信機会中に応答フレームを送信するための手段
をさらに備える、請求項１５に記載の装置。
【請求項１７】
前記送信機会のタイミングを決定するための前記手段が、
前記ダウンリンク伝送の受信後に前記決定的スロットカウントによってカウントダウンするための手段
を備える、請求項１５に記載の装置。
【請求項１８】
前記送信機会のタイミングを決定するための前記手段が、
前記ダウンリンク伝送の受信後に前記決定的スロットカウントに等しい受信されたフレームの数をカウントダウンするための手段
を備える、請求項１５に記載の装置。
【請求項１９】
保証開始時間を受信するための手段であって、前記保証開始時間は前記局についての次の送信機会の開始時間を示す、受信するための手段と、
前記保証開始時間に基づいて、前記応答フレームを送信するための送信機会を決定するための手段と
をさらに備える、請求項１５に記載の装置。
【請求項２０】
前記ダウンリンク伝送が空間分割多元接続（ＳＤＭＡ）を通じて受信される、請求項１５に記載の装置。
【請求項２１】
前記ダウンリンク伝送が、対応する複数の局についての複数の決定的スロットカウントを備える、請求項１５に記載の装置。
【請求項２２】
ＣＦ−ｅｎｄフレームを受信するための手段をさらに備える、請求項１５に記載の装置。
【請求項２３】
１つまたは複数の局へのダウンリンク伝送のためのネットワーク割当てベクトル（ＮＡＶ）通信期間を設定するための手段と、
送信機会を決定する際に局が使用する決定的スロットカウントを備えるダウンリンク伝送を前記局に送るための手段であって、前記決定的スロットカウントは、前記ダウンリンク伝送に対する応答を送信するために前記局が待機すべき、次の送信機会からのバックオフ期間を示す、送るための手段と、
前記決定的スロットカウントによって決定された送信機会において送信される前記局からのアップリンク伝送を前記ＮＡＶ通信期間の満了より前に受信するための手段と
を備える、ワイヤレス通信のための装置。
【請求項２４】
前記アップリンク伝送が、前記決定的スロットカウントに基づいて決定された送信機会において受信される、請求項２３に記載の装置。
【請求項２５】
前記ダウンリンク伝送が保証開始時間をさらに備え、前記保証開始時間は前記局についての次の送信機会の開始時間を示し、
前記アップリンク伝送が、前記保証開始時間に基づいて決定された前記次の送信機会において受信される、
請求項２３に記載の装置。
【請求項２６】
前記ダウンリンク伝送が空間分割多元接続（ＳＤＭＡ）を通じて他のダウンリンク伝送と同時に送られる、請求項２３に記載の装置。
【請求項２７】
前記ダウンリンク伝送が、対応する複数の局についての複数の決定的スロットカウントを備える、請求項２３に記載の装置。
【請求項２８】
前記ＮＡＶ通信期間の終了を示すＣＦ−Ｅｎｄフレームを送るための手段
をさらに備える、請求項２３に記載の装置。
【請求項２９】
ワイヤレス通信のための装置であって、
メモリと、
前記メモリに結合された少なくとも１つのプロセッサであって、
決定的スロットカウントを含むダウンリンク伝送を受信することであって、前記決定的スロットカウントは、前記ダウンリンク伝送に対する応答を送信するために前記局が待機すべき、次の送信機会からのバックオフ期間を示す、受信することと、
前記バックオフカウントを前記メモリに格納することと、
前記決定的スロットカウントに少なくとも部分的に基づいて、戻りフレームを送信するための前記次の送信機会のタイミングを決定することと
を行うように構成された少なくとも１つのプロセッサと、
を備える、装置。
【請求項３０】
前記少なくとも１つのプロセッサが、
前記決定された次の送信機会中に応答フレームを送信すること
を行うようにさらに構成された、請求項２９に記載の装置。
【請求項３１】
前記少なくとも１つのプロセッサが、
前記ダウンリンク伝送の受信後に前記決定的スロットカウントによってカウントダウンすること
によって前記次の送信機会のタイミングを決定するように構成された、請求項２９に記載の装置。
【請求項３２】
前記少なくとも１つのプロセッサが、
前記ダウンリンク伝送の受信後に前記決定的スロットカウントに等しい受信されたフレームの数をカウントダウンすること
によって前記次の送信機会のタイミングを決定するように構成された、請求項２９に記載の方法。
【請求項３３】
前記少なくとも１つのプロセッサが、
保証開始時間を受信することであって、前記保証開始時間は、前記局についての後続の送信機会の開示時間を示す、受信することと、
前記決定的スロットカウントではなく前記保証開始時間に基づいて、前記応答フレームを送信するための前記後続の送信機会を決定することと
を行うようにさらに構成された、請求項２９に記載の装置。
【請求項３４】
前記ダウンリンク伝送が空間分割多元接続（ＳＤＭＡ）を通じて受信される、請求項２９に記載の装置。
【請求項３５】
前記ダウンリンク伝送が、対応する複数の局についての複数の決定的スロットカウントを備える、請求項２９に記載の装置。
【請求項３６】
前記少なくとも１つのプロセッサが、ＣＦ−ｅｎｄフレームを受信するようにさらに構成される、請求項２９に記載の装置。
【請求項３７】
ワイヤレス通信のための装置であって、
１つまたは複数の局へのダウンリンク伝送についてネットワーク割当てベクトル（ＮＡＶ）通信期間を設定することと、
次の送信機会を決定する際に局が使用するための決定的スロットカウントを備えるダウンリンク伝送を前記局に送ることであって、前記決定的スロットカウントはバックオフ期間を示す、送ることと、
前記決定された次の送信機会において送信される前記局からのアップリンク伝送を前記ＮＡＶ通信期間の満了より前に受信することと
を行うように構成された少なくとも１つのプロセッサと、
前記少なくとも１つのプロセッサに結合されたメモリと
を備える、装置。
【請求項３８】
前記アップリンク伝送が、前記決定的スロットカウントに基づいて決定された送信機会において受信される、請求項３７に記載の装置。
【請求項３９】
前記ダウンリンク伝送が保証開始時間をさらに備え、前記保証開始時間は、前記保証開始時間を受信する前記局についての送信機会の開始時間を示しており、
前記アップリンク伝送が、前記保証開始時間に基づいて決定された前記送信機会において受信される、
請求項３７に記載の装置。
【請求項４０】
前記ダウンリンク伝送が空間分割多元接続（ＳＤＭＡ）を通じて他のダウンリンク伝送と同時に送られる、請求項３７に記載の装置。
【請求項４１】
前記ダウンリンク伝送が、対応する複数の局についての複数の決定的スロットカウントを備える、請求項３７に記載の装置。
【請求項４２】
前記少なくとも１つのプロセッサが、
前記ＮＡＶ通信期間の終了を示すＣＦ−Ｅｎｄフレームを送ること
を行うようにさらに構成された、請求項３７に記載の装置。
【請求項４３】
ワイヤレス通信のためのコンピュータプログラムであって、
決定的スロットカウントを含むダウンリンク伝送を受信することであって、前記決定的スロットカウントは、前記ダウンリンク伝送に対する応答を送信するために前記局が待機すべき、次の送信機会からのバックオフ期間を示す、受信することと、
前記決定的スロットカウントに少なくとも部分的に基づいて、戻りフレームを送信するための前記次の送信機会のタイミングを決定することと
を備える方法を処理回路に実行させる命令を備える、コンピュータプログラム。
【請求項４４】
ワイヤレス通信のためのコンピュータプログラムであって、
１つまたは複数の局へのダウンリンク伝送についてネットワーク割当てベクトル（ＮＡＶ）通信期間を設定することと、
次の送信機会を決定する際に局が使用するための決定的スロットカウントを備えるダウンリンク伝送を前記局に送ることであって、前記決定的スロットカウントはバックオフ期間を示す、送ることと、
前記決定的スロットカウントに基づいて前記局によって前記決定された次の送信機会において送信される前記局からのアップリンク伝送を前記ＮＡＶ通信期間の満了より前に受信することと
を備える方法を処理回路に実行させる命令を備える、コンピュータプログラム。
【発明の詳細な説明】
【優先権の主張】
【０００１】
本特許出願は、ともに本出願の譲受人に譲渡され、参照により本明細書に明示的に組み込まれる、２００９年８月２４日に出願された「決定的バックオフチャネルアクセス（Deterministic Backoff Channel Access）」と題する米国仮出願第６１／２３６，４２２号、および２０１０年３月９日に出願された「決定的バックオフチャネルアクセス（Deterministic Backoff Channel Access）」と題する米国仮出願第６１／３１２，１７５号に対する優先権を主張する。
【技術分野】
【０００２】
本開示のいくつかの態様は、一般に、ワイヤレスローカルエリアネットワークシステムにおいていくつかの受信機からの応答送信機会を効率的に編成（organizing）するための装置および方法に関する。より詳細には、本開示は、アドレスされた受信機に決定的バックオフ（deterministic backoff）を提供することに関する。
【背景技術】
【０００３】
ワイヤレス通信システムに要求される増大する帯域幅要件の問題に対処するために、高いデータスループットを達成しながらチャネルリソースを共有することによって複数のユーザ端末が単一のアクセスポイントと通信することを可能にするために、様々な方式が開発されている。多入力または多出力（ＭＩＭＯ）技術は、次世代通信システムのためのポピュラーな技法として最近現れた１つのそのような手法を表す。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示している。
【０００４】
ワイヤレス通信システムでは、媒体アクセス（ＭＡＣ）プロトコルは、エアリンク媒体によって提供されるいくつかの自由次元（dimension of freedom）を利用するように動作するように設計される。最も一般的に利用される自由次元は時間および周波数である。たとえば、ＩＥＥＥ８０２．１１ＭＡＣプロトコルでは、「時間」の自由次元はＣＳＭＡ（キャリア検知多重アクセス（Carrier Sense Multiple Access））を通して利用される。ＣＳＭＡプロトコルは、潜在的な高い干渉の期間中に２つ以上の伝送が行われないことを保証しようと試みる。同様に、「周波数」の自由次元は、異なる周波数チャネルを使用することによって利用され得る。
【０００５】
最近の開発により、次元としての空間が、既存の容量を増加させるかまたは既存の容量を少なくともより効率的に使用するために使用されるべき、実行可能なオプションになった。空間分割多元接続（ＳＤＭＡ）は、同時の送信および受信のために複数の端末をスケジュールすることによってエアリンクの利用を改善するために使用され得る。データは、空間ストリームを使用して端末の各々に送信される。たとえば、ＳＤＭＡでは、送信機は個々の受信機への直交ストリームを形成する。送信機がいくつかのアンテナを有し、送信／受信チャネルがいくつかの経路からなるので、そのような直交ストリームが形成され得る。受信機も、１つまたは複数のアンテナを有し得る（ＭＩＭＯ、ＳＩＭＯ）。この例では、送信機がアクセスポイント（ＡＰ）であり、受信機が局（ＳＴＡ）であると仮定される。ストリームは、たとえば、ＳＴＡ−ＢにターゲッティングされたストリームがＳＴＡ−Ｃ、ＳＴＡ−Ｄ、．．．、などにおいて低電力干渉と見なされ、これが有意な干渉を引き起こさず、無視される可能性が最も高いように、形成される。これらの直交ストリームを形成するために、ＡＰは、受信ＳＴＡの各々からのチャネル状態情報（ＣＳＩ）を有する必要がある。ＣＳＩは、いくつかの方法で測定および通信され、それにより複雑さを増大させ得るが、ＣＳＩの使用は、ＳＤＭＡストリームの構成を最適化する。
【０００６】
ＭＩＭＯがマルチユーザ（ＭＵ）システムに適用されるときには、さらなる複雑さが生じる。たとえば、通常、ＡＰはアップリンク（ＵＬ）通信プロセスを制御する。しかしながら、いくつかの構成では、アップリンクスケジューリング手法は、依然として、ＳＴＡがチャネルアクセスについてＡＰと競合することを必要とする。言い換えれば、ＡＰは、伝送媒体にアクセスしようと試みる追加のＳＴＡとして働くことになり、それにより、アクセスを試みるすべてのＳＴＡに影響を及ぼす。さらに、ＳＴＡが将来のＵＬ伝送のスケジューリングについてＡＰに頼るので、スケジューリング方式は、バースト性データトラフィックなどのいくつかのタイプのデータトラフィックでは必ずしもうまく動作しない。
【発明の概要】
【０００７】
本開示のいくつかの態様は、ワイヤレス通信のための方法を提供する。該方法は、概して、決定的スロットカウントを含むダウンリンク伝送を受信することと、決定的スロットカウントに少なくとも部分的に基づいて、戻りフレームを送信するための送信機会のタイミングを決定することと、を含む。
【０００８】
いくつかの態様は、ワイヤレス通信のための方法を提供する。該方法は、概して、１つまたは複数の局へのダウンリンク伝送についてＮＡＶを設定することと、送信機会を決定する際に局が使用するための決定的スロットを備えるダウンリンク伝送を該局に送ることと、決定された送信機会において送信される該局からのアップリンク伝送をＮＡＶ設定の満了より前に受信することと、を含む。
【０００９】
本開示のいくつかの態様は、ワイヤレス通信のための装置を提供する。該装置は、概して、決定的スロットカウントを含むダウンリンク伝送を受信するための手段と、決定的スロットカウントに少なくとも部分的に基づいて、戻りフレームを送信するための送信機会のタイミングを決定するための手段とを含む。
【００１０】
本開示のいくつかの態様は、ワイヤレス通信のための装置を提供する。該装置は、概して、１つまたは複数の局へのダウンリンク伝送についてＮＡＶ期間を設定するための手段と、送信機会を決定する際に局が使用するための決定的スロットカウントを備えるダウンリンク伝送を該局に送るための手段と、決定された送信機会において送信される該局からのアップリンク伝送をＮＡＶ期間の満了より前に受信するための手段と、を含む。
【００１１】
本開示のいくつかの態様は、ワイヤレス通信のための装置を提供する。該装置は、概して、決定的スロットカウントを含むダウンリンク伝送を受信することと、決定的スロットカウントに少なくとも部分的に基づいて、戻りフレームを送信するための送信機会のタイミングを決定することとを行うように構成された少なくとも１つのプロセッサと、少なくとも１つのプロセッサに結合されたメモリと、を含む。
【００１２】
本開示のいくつかの態様は、ワイヤレス通信のための装置を提供する。該装置は、概して、１つまたは複数の局へのダウンリンク伝送についてＮＡＶ期間を設定することと、送信機会を決定する際に局が使用するための決定的スロットカウントを備えるダウンリンク伝送を該局に送ることと、決定された送信機会において送信される該局からのアップリンク伝送をＮＡＶ期間の満了より前に受信することとを行うように構成された少なくとも１つのプロセッサと、少なくとも１つのプロセッサに結合されたメモリと、を含む。
【００１３】
いくつかの態様は、命令を備えるコンピュータ可読媒体を備える、ワイヤレス通信のためのコンピュータプログラム製品を提供する。該命令は、概して、決定的スロットカウントを含むダウンリンク伝送を受信することと、決定的スロットカウントに少なくとも部分的に基づいて、戻りフレームを送信するための送信機会のタイミングを決定することと、を行うように実行可能である。
【００１４】
いくつかの態様は、命令を備えるコンピュータ可読媒体を備える、ワイヤレス通信のためのコンピュータプログラム製品を提供する。該命令は、概して、１つまたは複数の局へのダウンリンク伝送についてＮＡＶ期間を設定することと、送信機会を決定する際に局が使用するための決定的スロットカウントを備えるダウンリンク伝送を該局に送ることと、決定された送信機会において送信される該局からのアップリンク伝送をＮＡＶ期間の満了より前に受信することと、を行うように実行可能である。
【図面の簡単な説明】
【００１５】
【図１】本開示のいくつかの態様による空間分割多元接続ＭＩＭＯワイヤレスシステムを示す図。
【図２】本開示のいくつかの態様による、ワイヤレスデバイスの例示的な構成要素を示す図。
【図３】ＡＩＦＳがスロットとしてカウントされるように、修正されたＥＤＣＡによる決定的バックオフを通じた戻り送信機会（ＴＸＯＰ）（transmit opportunities）とともにダウンリンクＳＤＭＡ伝送を示す図。
【図４】ＤＳＣがＮＡＶを打ち切るために暗黙的ＣＦ−Ｅｎｄとして機能する、決定的バックオフを通じた戻りＴＸＯＰとともにダウンリンクＳＤＭＡ伝送を示す図。
【図５】ＡＰがブロックＡｃｋでそれに応答し得るデータマルチプロトコルデータユニット（ＭＰＤＵ）を戻りＴＸＯＰが含み得る、決定的バックオフを通じた戻りＴＸＯＰとともにダウンリンクＳＤＭＡ伝送を示す図。
【図６】戻りＴＸＯＰのための決定的バックオフを用いたダウンリンクＳＤＭＡ交換を示す図。
【図７】ＥＤＣＡと、ＤＩＦＳに等しいＡＩＦＳとを使用する、決定的バックオフを示す図。
【図８】ＥＤＣＡと、ＰＩＦＳに等しいＡＩＦＳとを使用する、決定的バックオフを示す図。
【図９】修正されたＥＤＣＡと、ＰＩＦＳに等しいＡＩＦＳとを使用する、決定的バックオフを示す図。
【図１０】ＮＡＶ保護を用いた決定的バックオフを示す図。
【図１１】ＳＴＡ３がそのＤＳＣを受信しないことによって生じた、ＳＴＡ２のＴＸＯＰとＳＴＡ４のＴＸＯＰとの間の、１つの余分の空のスロットをもつギャップを示す図。
【図１２】スロテッドアップリンクＢＡとともにダウンリンクＳＤＭＡ伝送を示す図。
【図１３】先行フレームが受信されなかったときに後続のＳＴＡが回復することを保証するための保証開始時間の使用を示す図。
【図１４】先行する伝送のすべてを受信しなかったＳＴＡのサブセットだけが、この場合はＳＴＡ３が、それらの保証開始時間において送信する状況を示す図。
【図１５】フレームが見当たらない場合のフォールバック機構がなく、その結果、ＰＩＦＳよりも大きいギャップがＴＸＯＰ伝送チェーン中で生じたときに後続のＳＴＡが送信するための権利を失うことになるときの、ＴＸＯＰチェーン中断の状況を示す図。
【図１６】ＴＸＯＰ伝送チェーンを中断することを回避するためにＰＩＦＳにおいてステップインするＡＰを示す図。
【図１７】ＢＡに関するポーリングの例示的な図。
【図１８】６５Ｍｂｐｓにおける、４つのＢＡの場合の、順次ＡＣＫと、スケジュールされたＡＣＫと、ポーリングされたＡＣＫ（Polled ACK）との間の比較を与える図。
【図１９】順次ＣＳＩフレームがその後に続くサウンディング要求を示す図。
【図２０】順次的にいくつかの応答Ａ−ＭＰＤＵがその後に続き得るブロードキャストまたは並列伝送を示す図。
【図２１】本開示のいくつかの態様による、決定的スロットカウントをもつダウンリンク伝送を受信するための例示的な動作を示す図。
【図２１Ａ】
【図２２】本開示のいくつかの態様による、決定的スロットカウントをもつダウンリンク伝送を送信するための例示的な動作を示す図。
【図２２Ａ】
【図２３】決定的スロットカウントを含み得るダウンリンク伝送を受信するための一態様による方法を示す図。
【図２４】決定的チャネルバックオフを実装するための一態様による方法を示す図。
【詳細な説明】
【００１６】
ここで、図１を参照して、ワイヤレスネットワークのいくつかの態様を提示する。本明細書では基本サービスセット（ＢＳＳ）１００とも呼ばれるワイヤレスネットワークは、概してアクセスポイント１１０および複数のアクセス端末または局（ＳＴＡ）１２０として示された、いくつかのワイヤレスノードとともに示されている。各ワイヤレスノードは、受信および／または送信することが可能である。以下の詳細な説明では、ダウンリンク通信の場合、「アクセスポイント」という用語は送信ノードを示すために使用され、「アクセス端末」という用語は受信ノードを示すために使用されるが、アップリンク通信の場合、「アクセスポイント」という用語は受信ノードを示すために使用され、「アクセス端末」という用語は送信ノードを示すために使用される。しかしながら、アクセスポイントおよび／またはアクセス端末のために他の用語または名称が使用され得ることを、当業者なら容易に理解するであろう。例として、アクセスポイントは、基地局、送受信基地局、局、端末、ノード、ワイヤレスノード、アクセスポイントとして働くアクセス端末、または何らかの他の適切な用語で呼ばれうる。アクセス端末は、ユーザ端末、移動局、加入者局、局、ワイヤレスデバイス、端末、ノード、ワイヤレスノードまたは何らかの他の適切な用語で呼ばれうる。本開示全体にわたって説明される様々な概念は、それらの具体的な名称にかかわらず、すべての適切なワイヤレスノードに当てはまるものである。
【００１７】
ワイヤレスネットワーク１００は、アクセス端末１２０のためのカバレージを提供するために、地理的領域全体にわたって分散された任意の数のアクセスポイントをサポートし得る。システムコントローラ１３０は、アクセスポイントの調整および制御を提供するために、ならびにアクセス端末１２０のために他のネットワーク（たとえば、インターネット）へのアクセスを提供するために使用され得る。簡単のために、１つのアクセスポイント１１０が示されている。アクセスポイントは、一般に、カバレージの地理的領域内のアクセス端末にバックホールサービスを提供する固定端末である。しかしながら、アクセスポイントは、いくつかの適用例ではモバイルであり得る。固定またはモバイルであり得るアクセス端末は、アクセスポイントのバックホールサービスを利用するか、または他のアクセス端末とのピアツーピア通信に関与する。アクセス端末の例には、電話（たとえば、セルラー電話）、ラップトップコンピュータ、デスクトップコンピュータ、携帯情報端末（ＰＤＡ）、デジタルオーディオプレーヤ（たとえば、ＭＰ３プレーヤ）、カメラ、ゲーム機、または他のいずれか適切なワイヤレスノードが含まれる。
【００１８】
ワイヤレスネットワーク１００はＭＩＭＯ技術をサポートし得る。ＭＩＭＯ技術を使用すると、アクセスポイント１１０は、空間分割多元接続（ＳＤＭＡ）を使用して同時に複数のアクセス端末１２０と通信することができる。ＳＤＭＡは、異なる受信機へと同時に送信された複数のストリームが、同じ周波数チャネルを共有し、その結果、より高いユーザ容量を提供することを可能にする、多元接続方式である。これは、各データストリームを空間的にプリコードし、次いで、空間的にプリコードされた各ストリームを、ダウンリンク上で異なる送信アンテナを通じて送信することによって達成される。空間的にプリコードされたデータストリームは、異なる空間シグネチャとともにアクセス端末に到着し、これにより、各アクセス端末１２０は、そのアクセス端末１２０に宛てられたデータストリームを復元することが可能になる。アップリンク上で、各アクセス端末１２０は、空間的にプリコードされたデータストリームを送信し、これにより、アクセスポイント１１０は、空間的にプリコードされた各データストリームのソースを識別することが可能になる。本明細書では「プリコードする（precoding）」という用語を使用するが、概して、データストリームをプリコード（precoding）、符号化（encoding）、復号（decoding）および／またはポストコーディングする（postcoding）プロセスを包含するために「コーディングする（coding）」という用語も使用され得ることに留意されたい。
【００１９】
１つまたは複数のアクセス端末１２０は、特定の機能を可能にするために複数のアンテナを備えることができる。この構成では、たとえば、アクセスポイント１１０にある複数のアンテナを、複数アンテナアクセスポイントと通信するために使用して、追加の帯域幅または送信電力なしにデータスループットを改善することができる。これは、送信機における高データレート信号を、異なる空間シグネチャをもつ複数の低レートデータストリームに分割し、それにより、受信機がこれらのストリームを複数のチャネルに分離し、ストリームを適切に組み合わせて高レートデータ信号を復元できるようにすることによって、達成され得る。
【００２０】
以下の開示の部分では、ＭＩＭＯ技術を同じくサポートするアクセス端末について説明するが、アクセスポイント１１０は、ＭＩＭＯ技術をサポートしないアクセス端末をもサポートするように構成され得る。この手法は、より新しいＭＩＭＯアクセス端末が適宜に導入されることを可能にしながら、より古いバージョンのアクセス端末（すなわち、「レガシー」端末）がワイヤレスネットワークに配備されたままであることを可能にし、それらの有効寿命を延長することができる。
【００２１】
図２は、システム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００２２】
ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に供給する。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理および算術演算を実行する。メモリ３０６内の命令は、本明細書で説明する方法を実装するように実行可能であり得る。
【００２３】
ワイヤレスデバイス３０２は、また、ワイヤレスデバイス３０２と遠隔地との間のデータの送信および受信を可能にするために送信機３１０と受信機３１２とを含み得るハウジング３０８を含み得る。送信機３１０と受信機３１２とを組み合わせて、トランシーバ３１４とすることができる。複数の送信アンテナ３１６が、ハウジング３０８に取り付けられ、トランシーバ３１４に電気的に結合され得る。ワイヤレスデバイス３０２は、また、複数の送信機、複数の受信機、および複数のトランシーバを含み得る（図示せず）。
【００２４】
ワイヤレスデバイス３０２は、また、トランシーバ３１４によって受信された信号のレベルを検出および定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２は、また、信号を処理する際に使用するためのデジタル信号プロセッサ（ＤＳＰ）３２０を含み得る。
【００２５】
ワイヤレスデバイス３０２の様々な構成要素は、データバスに加えて、電力バス、制御信号バス、およびステータス信号バスを含み得る、バスシステム３２２によって一緒に結合され得る。
【００２６】
本明細書で使用する「レガシー」という用語は、一般に、８０２．１１規格の８０２．１１ｎ以前のバージョンをサポートするワイヤレスネットワークノードを指す。
【００２７】
本明細書ではいくつかの技法についてＳＤＭＡに関して説明するが、それらの技法は、概して、ＳＤＭＡ、ＯＦＤＭＡ、ＣＤＭＡ、およびそれらの組合せなど、任意のタイプの多元接続方式を利用するシステムにおいて適用され得ることが当業者には認識されよう。
【００２８】
以下の詳細な説明では、本開示の様々な態様について、直交周波数分割多重（ＯＦＤＭ）など、任意の適切なワイヤレス技術をサポートするＭＩＭＯシステムに関して説明する。ＯＦＤＭは、精密な周波数で離間されたいくつかのサブキャリアにわたってデータを分散させるスペクトル拡散技法である。離間は、受信機がサブキャリアからデータを復元することを可能にする「直交性」を与える。ＯＦＤＭシステムは、ＩＥＥＥ８０２．１１、または他の何らかのエアインターフェース規格を実装し得る。他の適切なワイヤレス技術には、例として、符号分割多元接続（ＣＤＭＡ）、時分割多元接続（ＴＤＭＡ）、または他のいずれか適切なワイヤレス技術、あるいは適切なワイヤレス技術の任意の組合せが含まれる。ＣＤＭＡシステムは、ＩＳ−２０００、ＩＳ−９５、ＩＳ−８５６、Ｗｉｄｅｂａｎｄ−ＣＤＭＡ（ＷＣＤＭＡ）、または他の何らかの適切なエアインターフェース規格を実装し得る。ＴＤＭＡシステムは、移動体通信用グローバルシステム（ＧＳＭ（登録商標）：Global System for Mobile Communications）または他の何らかの適切なエアインターフェース規格を実装し得る。当業者には容易に理解されるように、本開示の様々な態様は、いかなる特定のワイヤレス技術および／またはエアインターフェース規格にも限定されない。
【００２９】
頭字語
Ａ−ＭＰＤＵ      集約媒体アクセス制御プロトコルデータユニット（Aggregated Media Access Control Protocol Data Unit）
ＡＣ              アクセスカテゴリー
ＡＩＦＳ          調停フレーム間隔（Arbitration Interframe Space）
ＡＰ              アクセスポイント
ＢＡ              ブロックＡｃｋ
ＢＡＲ            ブロックＡｃｋ要求
Ｃ                制御
ＣＦ−Ｅｎｄ      コンテンションフリー期間終了（Contention Free End）
ＣＳＩ            チャネル状態情報
ＣＴＳ            送信可
ＣＷ              コンテンションウィンドウ
ＤＡ              宛先アドレス
ＤＩＦＳ          分散調整機能フレーム間隔（Distributed Coordination Function Interframe Space）
ＤＳＣ            決定的スロットカウント
ＥＤＣＡ          拡張分散チャネルアクセス
ＦＣＳ            フレーム検査シーケンス
ＧＳＴ            保証開始時間（Guaranteed Start Time）
Ｌ−ＳＩＧ        レガシー信号フィールド
ＭＡＣ            媒体アクセス制御
ＭＣＳ            変調コーディング方式
ＭＩＭＯ          多入力多出力
ＭＵ−ＭＩＭＯ    マルチユーザ多入力多出力
ＮＡＶ            ネットワーク割当てベクトル
ＯＦＤＭ          直交周波数分割変調
ＯＦＤＭＡ        直交周波数分割多元接続
ＰＨＹ            物理レイヤ
ＰＩＦＳ          ポイント調整機能フレーム間隔（Point Coordination Function Interframe Space）
ＳＤＭＡ          空間分割多元接続
ＳＩＦＳ          短フレーム間隔（Short Interframe Space）
ＳＩＧ            信号
ＳＴＡ            局
ＴＣＰ            送信制御プロトコル
ＴＤＬＳ          トンネルドダイレクトリンクセットアップ（Tunneled Direct Link Setup）
ＴＸＯＰ          送信機会
ＶＳＬ            非常に短いスロット
ＷＬＡＮ          ワイヤレスローカルエリアネットワーク
参考文献ＩＥＥＥ９０２．１１−２００７およびＩＥＥＥ８０２．１１ｎ−２００９は、追加情報を与え、それらの全体が参照により本明細書に組み込まれる。
【００３０】
８０２．１１ワイヤレスＬＡＮ（ＷＬＡＮ）における問題は、いくつかの受信機からの応答送信機会（ＴＸＯＰ）をどのように効率的に編成すべきかということである。受信機は、空間分割多元接続（ＳＤＭＡ）または直交周波数分割多元接続（ＯＦＤＭＡ）を通じてダウンリンクデータを並列に受信していることがあり、その後、それらは、ＢＡフレームで、場合によっては他のアップリンクトラフィックで、応答する必要がある。ＳＤＭＡはマルチユーザ多入力多出力（ＭＵ−ＭＩＭＯ）とも呼ばれる。ＯＦＤＭＡはマルチユーザ直交周波数分割変調（ＯＦＤＭ）とも呼ばれる。
【００３１】
この問題に対する従来の解決策は、ダウンリンク伝送の後、アドレスされた局に、指定されたタイムスロットを与えることに頼ってきたが、これは潜在的な欠点を有し得る。一例として、アップリンクＰＨＹレートおよびデータ量が未知であるので、ＡＰはスロットの最適な長さを知らない。別の例として、タイムスロット情報が局によって受信されないときには、タイムスロットは浪費される。ＰＨＹレートはＡＰによって指定され得るが、これにより、一般に、推定があまりにも控えめなものになり、したがって応答スロットがあまりにも長くなる。
【００３２】
この問題の解決策は、たとえば、ダウンリンク伝送に埋め込まれた決定的スロットカウント（ＤＳＣ）フィールドを通じて、アドレスされた受信機に決定的バックオフを与えることである。アドレスされた各局には、ＡＰによってダウンリンクＳＤＭＡ  Ａ−ＭＰＤＵが送られたときに個々のバックオフ数が割り当てられる。決定的スロットカウントは、ＤＳＣフィールドを含むダウンリンク伝送の受信後に、アドレスされた受信機によってカウントダウンされ、これにより、通常のＥＤＣＡバックオフが使用されるときにアップリンク伝送のアレイがＡＩＦＳ＋１スロットだけ分離される。各局は、そのＤＳＣが０に達したときに、その応答を送る。このようにして、各局は、従来のコンテンションプロトコルを使用して、ただし、割り当てられた決定的バックオフ数に従って、チャネルについて競合する（対照的に、従来のコンテンションでは、局はバックオフ数をランダムに選定する。）。いくつかの態様では、ＥＤＣＡは、ＡＩＦＳもスロットとしてカウントされるように修正されることができ、これにより、図３に示すように、戻りフレーム間の分離３５０をＰＩＦＳまで低減することが可能になる。
【００３３】
図３中のフレーム交換シーケンスは、最長ダウンリンクＳＤＭＡ  ＴＸＯＰの持続時間にわたってＮＡＶを設定するＣＴＳから開始する。ダウンリンクＳＤＭＡ  ＴＸＯＰは、可能な制御フレームを含む、ＳＴＡ１〜ＳＴＡ４のためのダウンリンクデータを含んでいる。ブロックＡｃｋを要求するために、ＢＡＲフレームがＡ−ＭＰＤＵ中に含まれる。ＤＳＣフレーム（または要素）は戻りＴＸＯＰのためのスロットカウントを示す。ＤＳＣフィールドは、一般的制御フレーム（Ｃフレーム）内で搬送され得る。ダウンリンクフレームに関するＡｃｋポリシーは、ＳＩＦＳ応答が引き出されないようなものである（ダウンリンクデータに関するＡｃｋポリシーはブロックＡｃｋに設定され、ＢＡＲに関するＡｃｋポリシーはＡｃｋなし（Ｎｏ  Ａｃｋ）に設定され、ＤＳＣフレームに関するＡｃｋポリシーはＡｃｋなしに設定される）。
【００３４】
決定的バックオフは、アドレスされた各局に、その戻りＴＸＯＰのバックオフのための所定のスロットカウントを与えることを指す。
【００３５】
いくつかの態様では、ＤＳＣフィールドの存在は、ＤＳＣフィールドを受信するアドレスされた局についてＮＡＶを終了する、暗黙的ＣＦ−Ｅｎｄとして機能し得る。ＮＡＶは、最長ダウンリンク伝送を大幅に超える持続時間にわたって、ＳＤＭＡ伝送より前にＣＴＳによって設定され得る。（ＤＳＣフィールドを用いて）アドレスされた局についてのみＮＡＶを打ち切ることは、ＳＤＭＡ伝送においてアドレスされなかった他のコンテンダ（contender）（または局）であって、ＤＳＣフィールドを受信しなかった他のコンテンダ（または局）に勝る優先アクセスを、アドレスされた局に与える。アップリンクＴＸＯＰ後、全ＮＡＶは、ＣＦ−Ｅｎｄフレームを通じて打ち切られ得る。図４に示すように、ＣＦ−Ｅｎｄフレーム４０２は、戻りＴＸＯＰ４０４プラス１の数に等しい決定的スロットカウントをそれに与えることによって、アップリンク戻りＴＸＯＰの終了時にスケジュールされ得る。
【００３６】
図４中のフレーム交換シーケンスは、ダウンリンクＳＤＭＡ  ＴＸＯＰの持続時間を超える持続時間にわたってＮＡＶを設定するＣＴＳから開始する。ダウンリンクＳＤＭＡ  ＴＸＯＰは、可能な制御フレームを含む、ＳＴＡ１〜ＳＴＡ４のためのダウンリンクデータを含んでいる。ダウンリンクフレームに関するＡｃｋポリシーは、ＳＩＦＳ応答が引き出されないようなものである。ダウンリンクデータに関するＡｃｋポリシーはブロックＡｃｋに設定される。ＢＡＲフレームは、ブロックＡｃｋを要求するために含まれる。ＢＡＲに関するＡｃｋポリシーは、Ａｃｋなしに設定される。ＤＳＣフレーム（または要素）は、戻りＴＸＯＰのためのスロットカウントを示す。ＤＳＣフレームに関するＡｃｋポリシーは、Ａｃｋなしに設定される。ＤＳＣは、アドレスされたＳＴＡについてＮＡＶを打ち切る。ＤＳＣは、最長ＳＤＭＡ伝送の後にバックオフが開始するように、ＮＡＶの最小持続時間を含み得る。
【００３７】
いくつかの態様では、アップリンクＴＸＯＰは応答トラフィックのみに限定される必要はない。アップリンクデータは、たとえば、図５に示すようにＡ−ＭＰＤＵ５０２の形態で含まれ得る。ＡＰは、アップリンクＡ−ＭＰＤＵＩからＳＩＦＳ後にブロックＡｃｋ５０４などの即時のフィードバックを送信し得る。
【００３８】
シーケンスは、ダウンリンクＳＤＭＡ  ＴＸＯＰの持続時間を超える持続時間にわたってＮＡＶを設定するＣＴＳから開始する。ダウンリンクＳＤＭＡ  ＴＸＯＰは、ＳＴＡ１〜ＳＴＡ４のためのダウンリンクデータと、ＢＡＲおよびＤＳＣなどの制御フレームとを含む、Ａ−ＭＰＤＵを含んでいる。ダウンリンクフレームに関するＡｃｋポリシーは、ＳＩＦＳ応答が引き出されないようなものである。ダウンリンクデータに関するＡｃｋポリシーはブロックＡｃｋに設定される。ブロックＡｃｋを要求するためにＢＡＲフレームが含まれる。ＢＡＲに関するＡｃｋポリシーはＡｃｋなしに設定される。ＤＳＣフレーム（または要素）は、戻りＴＸＯＰのためのスロットカウントを示す。ＤＳＣフレームに関するＡｃｋポリシーは、Ａｃｋなしに設定される。ＤＳＣは、アドレスされたＳＴＡについてＮＡＶを打ち切る。ＤＳＣは、最長ＳＤＭＡ送信の後にバックオフが開始するように、ＮＡＶの最小持続時間を含み得る。ＳＴＡ１は、１スロットの決定的スロットカウントを受け取り、それを、ダウンリンクＳＤＭＡ伝送の後に生じる第１のＰＩＦＳ５０６中にカウントダウンする。ＳＴＡ１は、ＢＡフレームとアップリンクデータＭＰＤＵとを含むＡ−ＭＰＤＵ５０２を送信する。アップリンクデータＭＰＤＵは、暗黙的ＢＡＲ  Ａｃｋポリシーを使用し得る。ＡＰは、アップリンクＡ−ＭＰＤＵからＳＩＦＳ後に、要求されたＢＡフレームで応答する。ＳＴＡ２は、次いで、ダウンリンクＢＡフレーム５０４からＰＩＦＳ後に、その（１つまたは複数の）応答フレームを送る。ＳＴＡ３は、次いで、（１つまたは複数の）ＳＴＡ２応答フレームからＰＩＦＳ後に、その（１つまたは複数の）応答フレームを送る。次いで、ＳＴＡ４は、（１つまたは複数の）ＳＴＡ３応答フレーム後に、その（１つまたは複数の）応答フレームを送る。
【００３９】
いくつかの態様では、決定的バックオフを通じた戻りＴＸＯＰは、また、図６に示すように、非ＳＤＭＡフレーム６０２を通じて示されることもできる。
【００４０】
戻りＴＸＯＰのための決定的バックオフを用いたダウンリンクＳＤＭＡ交換シーケンスは、長いＮＡＶを設定するＤＳＣフレーム６０２から開始する。ＤＳＣフレームは、ＳＴＡ１〜ＳＴＡ３についての決定的バックオフを示す。ＤＳＣは、ＳＴＡ１〜ＳＴＡ３についてＮＡＶを暗黙的に打ち切る（またはＮＡＶを設定するフレームがＤＳＣフレームであるので、ＮＡＶが設定されない）。第１の空のバックオフスロット６０４の後に、ＳＴＡ１は、少なくとも１つのデータＭＰＤＵを含むアップリンクＡ−ＭＰＤＵを送信する。該データＭＰＤＵは暗黙的ＢＡＲ  Ａｃｋポリシーを有する。ＡＰは、アップリンク伝送の終了からＳＩＦＳ後にＢＡフレーム６０６で応答する。図６に示すように、ＳＴＡ２およびＳＴＡ３について同様の送信パターンが行われる。最後に、ＡＰは、ＳＴＡ３についてのＢＡフレームからＰＩＦＳ後にＣＦ−Ｅｎｄフレーム６０８で応答する。これが、ＤＳＣフレームの受信者ではない他の局についてＮＡＶを終了する。
【００４１】
決定的バックオフを通じた戻りＴＸＯＰは、ＳＩＦＳ時間が短縮されるときに、さらに効率的になり得る。これは、ＤＳＣフレームのアドレスされた受信者についてのみ打ち切られるＮＡＶを設定することによって、戻りＴＸＯＰフェーズが標準のコンテンションと混合されないときに、後方互換性の問題なしに可能である。デバイスのサブセットにおいてＮＡＶを設定し、それを選択的に打ち切ることにより、デバイスの選択されたサブセットだけは、バックオフがその間にカウントダウンされ得る媒体アイドル状態を知覚し、媒体がビジーであることを仮想キャリア検知（ＮＡＶ）が示すので、他のデバイスはそれらのバックオフをカウントダウンすることを控える、状況がもたらされる。
【００４２】
ＡＰは、コンテンションプロセスを合理化するためにＤＳＣフレームを自律的に送信し得る。ＡＰは、コンテンションがある特定のしきい値を超えることをそのＡＰが観測するときには、コンテンションを低減し、チャネルアクセス効率を改善するために、ＤＳＣフレームを送信し始めることができる。例示的なしきい値は、ＡＰによって経験される１０％の衝突レートである。ＡＰは、ＤＳＣフレームを送信するために優先アクセスを使用し得るが、該ＡＰは、新しいノードまたはＤＳＣ中に含まれないノードもチャネルにアクセスし得るように、十分な空のバックオフスロットを該ＡＰが周期的に挿入することを保証しなければならない。
【００４３】
決定的スロットカウント（ＤＳＣ）
決定的スロットカウント（ＤＳＣ）は、概して、ＳＴＡによる応答ＴＸＯＰに先行するバックオフについて決定的スロットカウントをＳＴＡに与えることを指す。図７に示すように、応答ＴＸＯＰ７０２は、制御および／またはデータフレーム（アップリンクまたは直接リンク）を送信するために使用され得る。
【００４４】
いくつかの態様では、図７に示すように、ＥＤＣＡは、ＤＩＦＳに等しいＡＩＦＳとともに使用され得る。０のＤＳＣを受信したＳＴＡ１は、ＤＳＣを含むダウンリンク送信の終了からＤＩＦＳ後に媒体にアクセスすることになる。１のＤＳＣを受信したＳＴＡ２は、ＳＴＡ１によって開始されたＴＸＯＰの終了からＤＩＦＳ＋１スロット後に媒体にアクセスすることになる。２のＤＳＣを受信したＳＴＡ３は、ＳＴＡ２によって開始されたＴＸＯＰからＤＩＦＳ＋１スロット後に媒体にアクセスすることになる、などである。第１のＴＸＯＰおよびそれより後のＴＸＯＰについてのギャップサイズの差は、標準ＥＤＣＡではＡＩＦＳがバックオフスロットとしてカウントされないという事実によって生じる。したがって、０スロットのバックオフのみがＤＩＦＳギャップ（または一般にはＡＩＦＳ）を生じることになり、いずれの非０バックオフも少なくともＤＩＦＳ＋１スロット（または一般にはＡＩＦＳ＋１スロット）のギャップを生じることになる。
【００４５】
いくつかの態様では、図８に示すように、戻りＴＸＯＰ間のギャップは、ＡＩＦＳをＰＩＦＳに等しく設定することによって、１スロットだけ縮小されることができる。
【００４６】
すべてのギャップ９０２を同じ持続時間にするために、ＥＤＣＡは、ＡＩＦＳがバックオフスロットとしてカウントされるように修正され得る。これは、ＡＩＦＳ＝ＰＩＦＳに関して図９に示されている。この場合、０のバックオフはもはや有効なバックオフではなく、したがって最小ＤＳＣは１である。
【００４７】
アップリンクＴＸＯＰ間のＰＩＦＳギャップは、媒体への優先アクセスを可能にし、したがって、媒体にアクセスする前により長い時間期間を待たなければならない他のコンテンダとの衝突を回避するためにＮＡＶが必要とされない。図１０に示すように、ギャップ１００２がＰＩＦＳよりも大きいときには、ＮＡＶが必要とされる。ＤＳＣフィールドの存在は、該フィールドの受信機においてＮＡＶを暗黙的にリセットする。全ＮＡＶは、ＡＰによって送信されるＣＦ−Ｅｎｄフレーム１００４によってリセットされる。ＣＦ−Ｅｎｄフレームは、最長ＤＳＣの１スロット後において送信のためにスケジュールされ、したがって、ＣＦ−Ｅｎｄはこの例では４のＤＳＣを有する。
【００４８】
ＳＴＡがＤＳＣを受信しなかったために、または何らかの他の理由により、ＴＸＯＰが生じないときには、結果として追加の空のスロットが存在することになる。これは図１１に示されており、ＴＸＯＰ  ＳＴＡ２とＴＸＯＰ  ＳＴＡ４との間のギャップ１１０２が追加の空のスロットを有する。
【００４９】
トラフィックスケジューリングのＥＤＣＡモデルの近くにとどまるために、ＤＳＣは、特定のアクセスカテゴリー（ＡＣ）に適用されることができ、そのＡＣは、ダウンリンクトラフィックのＡＣと同じものであることができ、または、媒体がアイドルのままである場合に内部コンテンションに勝つＡＣであることができる。ＢＡのような制御トラフィックが、戻りＴＸＯＰに追加されるべきである。
【００５０】
ＤＳＣ  ＡＣがＴＸＯＰを有する前に他の内部キュー（すなわち、アクセスカテゴリー）がＴＸＯＰを有することを回避するために、ＤＳＣ  ＡＣのＡＩＦＳには、ＤＳＣバックオフ中にＰＩＦＳに等しいＡＩＦＳが割り当てられ得る。ＤＳＣバックオフが満了するとき、ＡＩＦＳは元の値にリセットされ、コンテンションは、ＤＳＣバックオフの前に存在していたＣＷとともにＥＤＣＡルールに従う。
【００５１】
ＤＳＣ  ＡＣのＡＩＦＳがＰＩＦＳに設定されるときには、ＤＳＣ  ＡＣは、媒体に関して内部ＡＣに勝る優先度を有する（ＡＰのみが、ＰＩＦＳに等しいＡＩＦＳを使用すると仮定する）。これは、ＣＦ−Ｅｎｄは必要とされないが、ＡＩＦＳ＝ＰＩＦＳでは、ＡＰが内部ＡＣについてバックオフを訂正する必要があることを意味する。これらのＡＣについてのバックオフは、ハンドアウト（hand out）されている最大ＤＳＣだけ増加されなければならない（上記の例では、（１つまたは複数の）バックオフは３だけインクリメントされる必要がある）。内部バックオフを訂正することが、ＡＰ  ＡＣがＳＴＡからのＤＳＣ  ＴＸＯＰと干渉することを回避する。ＳＴＡがまた、ＰＩＦＳに等しいＡＩＦＳを使用する場合、それらのＳＴＡは、また、それらのバックオフをインクリメントする必要がある。この目的で、（ＳＴＡにハンドアウトされている実際のＤＳＣの次に）最も高いＤＳＣがＤＳＣフレーム中に含まれる必要がある。
【００５２】
ＡＰが、成功したＴＸＯＰを有したということは、０に等しいバックオフがシステム中に存在しないことを示す。なぜなら、上記バックオフがある場合、それが衝突を引き起こしていたであろうが、衝突はなかったので、０に等しいバックオフはシステム中に存在し得ないからである。したがって、ＰＩＦＳ／ＤＩＦＳギャップのいずれも、保留中（pending）のバックオフをデクリメントさせない（ＡＰが、ＰＩＦＳを使用するネットワーク中の唯一のシステムであると仮定する）。
【００５３】
これは、別のＡＰが同じチャネル上でＰＩＦＳ  ＡＩＦＳを使用するのでなければ、すべてうまくいく。その場合、上記で説明したように、選択的リセットおよびＣＦ−Ｅｎｄを用いたＮＡＶが使用されなければならない。しかしながら、ＡＰはＮＡＶをＣＴＳフレームの送信機として内部的に設定しないので、ＡＰは、依然として、ＰＩＦＳ  ＡＩＦＳを使用するそれ自体のＡＣに最大ＤＳＣを追加しなければならない。
【００５４】
戻りトラフィックがＢＡフレームのみに（または一般的には１つのＰＨＹプロトコルデータユニット（ＰＰＤＵ）に）制限されるときには、決定的スロットカウント（ＤＳＣ）は、ＳＴＡがそのＢＡをそこにおいて送信し得るＢＡスロットｉを指すものと解釈されることができる。ＳＴＡは、ダウンリンクＳＤＭＡ伝送の終了後にフレームの数をカウントし、ｉ個の先行フレーム（すなわち、前のＳＴＡからのフレーム）の後、該ＳＴＡのＢＡフレームを送る。これは図１２に示されている。
【００５５】
アップリンクＢＡフレーム間のインターバル１２０２は、この場合、ＳＩＦＳと同じくらい短いものとすることができ、またはＳＴＡにおける合意済みのＲｘ−Ｔｘターンアラウンドタイム（agreed-upon Rx-to-Tx turnaround time）によって許容されるようなさらに短いものとすることができる。インデックスｉは、ダウンリンクＳＤＭＡ伝送においてデバイス識別子が生じる順序から暗黙的に導出され得る。他のデバイスがバックオフをカウントダウンするのに十分長いギャップは生じないので、ＮＡＶを設定することは必要とされない。
【００５６】
図１２に示すように、フレーム交換シーケンスは、最長ダウンリンクＳＤＭＡ  ＴＸＯＰの持続時間にわたってＮＡＶを設定し得るＣＴＳ（図示せず）から開始し得る。ダウンリンク伝送の持続時間がダウンリンクＳＤＭＡ伝送のＰＨＹヘッダにおいて通知され、シーケンス全体中にギャップが生じないことがあるので、ＮＡＶを設定することは厳密に必要なわけではない。ダウンリンクＳＤＭＡ  ＴＸＯＰは、可能な制御フレームを含む、ＳＴＡ１〜ＳＴＡ４のためのダウンリンクデータを含み得る。ＳＤＭＡ伝送後にブロックＡｃｋ（ＢＡ）フレームが戻されることを要求するために、ＢＡＲフレームがＡ−ＭＰＤＵ中に含まれ得る。ＤＳＣフレーム（または要素）は、ＢＡを送信するためのスロットカウントを各ＳＴＡに示す。ダウンリンクフレームに関するＡｃｋポリシーは、第１のＢＡを送信することが意図されたＳＴＡへと送られるダウンリンクフレームを場合によっては除いて、ＳＩＦＳ応答が引き出されないようなものである。ダウンリンクデータＭＰＤＵに関するＡｃｋポリシーはブロックＡｃｋに設定されることができ、ＢＡＲ  ＭＰＤＵに関するＡｃｋポリシーはＡｃｋなしに設定されることができ、ＤＳＣフレームに関するＡｃｋポリシーはＡｃｋなしに設定されることができる。
【００５７】
１つまたは複数のＳＴＡは、先行する１つまたは複数の伝送を受信しないことがあり、または、たとえば、先行する伝送を送るはずであったＳＴＡがＤＳＣを受信しなかったときには、先行する伝送は全く存在しないことがある。そのような事象から回復するために、いくつかの態様では、ＡＰは、ＳＴＡによって受信された前のフレームの数にかかわらず、ＢＡの伝送が開始し得る時間を各ＳＴＡに与えることができる。このコンテキストにおけるフレームの受信は、レガシー信号（Ｌ−ＳＩＧ）フィールドの正しい受信として定義され得る。このコンテキストにおけるフレームの受信は、ＰＨＹヘッダの正しい受信として定義され得る。この時間は保証開始時間（ＧＳＴ）と呼ばれることがある。保証開始時間は、また、ＢＡフレームの知られている最大持続時間と組み合わせて、割り当てられたＤＳＣに基づいてＳＴＡにおいて導出され得る。最大持続時間は、ＤＳＣ情報の一部として含まれることができ、または他の手段を通じてＡＰによって分配されていることがある。
【００５８】
図１３に示すように、１つまたは複数の先行フレームを受信しなかったＳＴＡは、そのＢＡをその保証開始時間１３０２、１３０４において送信する。アドレスされたＳＴＡのサブセットのみによって先行フレームが受信されない場合、そのサブセット中のアドレスされたＳＴＡだけは、それらの保証開始時間１４０２において送信し、一方、（先行フレームのすべてを受信した）他のアドレスされたＳＴＡは、それらの先行フレームからＳＩＦＳ後に送信する。これは図１４に示されており、図１４では、ＳＴＡ３はＳＴＡ２からのフレーム（ＢＡ２）を受信しなかったが、ＳＴＡ４はそれを受信した。したがって、ＳＴＡ３は、その保証開始時間において送信し、一方、ＳＴＡ４は、ＳＴＡ３からの伝送１４０４（ＢＡ３）からＳＩＦＳ後に送信する。
【００５９】
代替的に、いくつかの態様では、ＰＩＦＳ（ＰＩＦＳは、ＳＩＦＳ持続時間＋スロット時間に等しい）よりも大きいギャップが生じるときには後続のＳＴＡが送信する権利を失うというルールと相まって、フレームが見当たらない場合、フォールバック機構が存在しえないことがある。これは図１５に示されており、図１５では、ＢＡ３が見当たらないことによりギャップが生じており、その後には、ＳＴＡ４は送信するための権利を失う。
【００６０】
いくつかの態様では、ギャップが生じるときには、ＡＰは、応答しなかったチェーンにおいてＳＴＡにＢＡＲフレームを送ることができ、またはＡＰは、ダウンリンクトラフィックを送り続け、見当たらないＳＴＡが後続のＢＡチェーンにおいてそれらのＢＡを送信することを予想し得る。ＳＴＡがそのＢＡを送信する確率を増加させるために、ＡＰはチェーン内のＳＴＡの順序を修正することができる。
【００６１】
代替的に、いくつかの態様では、ＡＰは、図１６に示すように、チェーンが中断するのを回避するために、ＰＩＦＳに等しいギャップ１６０４が生じるときに短い伝送１６０２を用いてステップインすることができる。
【００６２】
短い伝送１６０２は、ＡＰのところでアドレスされたＡＣＫフレームであることができる。この場合、チェーン内の後続のＳＴＡは依然として送信する。ＤＩＦＳに等しいギャップが生じるときにはＳＴＡが送信するための権利を失うというルールが追加されることができる。
【００６３】
前述のインターバルの各々は、異なるインターバルであることができる。たとえば、シーケンスにおけるＳＴＡが、先行するフレームのデータ部分中に（または先行するＰＨＹヘッダの有効信号フィールドを受信した後の任意の時点で）ＲｘからＴｘへの転換を開始できるので、ＳＩＦＳインターバルは、より短いインターバルであることができる。
【００６４】
説明のために、図１７は、ポーリングされたシナリオを示しており、ここでは、各ＢＡフレーム１７０２は、ＢＡＲ１７０４フレームを送ることによってＡＰによって請求される。
【００６５】
図１８に、順次ＡＣＫ１８０２と、スケジュールされたＡＣＫ１８０４と、ポーリングされたＡＣＫ１８０６との間の比較を示す。ポーリングされたＡＣＫの場合、ＡＰは、ＢＡＲフレームを送ることによって各ＢＡフレームについて個々にポーリングする。図１８に示すように、この方法は最も高いオーバーヘッドを有する。スケジュールされたＡＣＫの場合、ＡＰは、応答フレームがその間に送信されることのできる固定タイムスロットをスケジュールする。図１８に示すように、スケジュールされたＡＣＫのオーバーヘッドは、ポーリングされたＡＣＫのオーバーヘッドよりは低いが、順次ＡＣＫよりはまだ高い。
【００６６】
順次ＡＣＫとスケジュールされたＡＣＫとの間のオーバーヘッドの差は、Ａ−ＭＰＤＵを使用してデータがＢＡフレームに集約され得るときに増加することになる。応答フレームがあまりに長くなることを回避するために、応答Ａ−ＭＰＤＵに長さ限界が課せられ得る。長さ限界は、ビットまたは時間に関して表され得る。具体的には、ＴＣＰ  Ａｃｋフレームを応答フレームに集約することが興味深いことがある。
【００６７】
ＡＰは、受信された応答Ａ−ＭＰＤＵに応答して応答フレームを送信し得る。この場合、ＳＴＡは、それらのスロットより前のフレームの数の２倍（２×ｉ）をカウントしなければならない。
【００６８】
順次ＡＣＫは、ＡＰによる単一のダウンリンク伝送がいくつかのＳＴＡからの伝送によって応答される、様々なプロトコルにおいて使用されることができる。たとえば、図１９を参照すると、ＡＰによるダウンリンク伝送は、サウンディング要求フレーム１９０２であり得る。アップリンク応答フレームは、サウンディング応答フレーム１９０４であり得る。これらの応答フレームは、チャネル状態情報（ＣＳＩ）情報を含み得る。
【００６９】
概して、順次ＡＣＫは、１つの伝送２００２（ブロードキャストまたは並列）の後に、異なるＳＴＡからのいくつかの応答伝送２００４が続く場合に、使用されることができる。これは、図２０に示されている。
【００７０】
図２１は、本開示のいくつかの態様による、戻り伝送のための決定的バックオフを含み得る、ＡＰからのダウンリンク伝送を受信するための例示的な動作を示す。この動作は、たとえば、ＡＰから（たとえばＳＤＭＡを通じて）ダウンリンク伝送を受信する複数の局のうちの１つによって実行され得る。
【００７１】
該動作は、２１０５において、決定的スロットカウントを含むダウンリンク伝送を受信することによって開始する。２１１０において、戻りフレームを送信するための送信機会のタイミングが、決定的スロットカウントに少なくとも部分的に基づいて決定される。任意で（図２１に破線で示すように）、２１１５において、決定された送信機会において戻りフレームが送信されることができる。
【００７２】
図２２は、本開示のいくつかの態様による、戻り送信のための決定的バックオフを含み得る、ＡＰからのダウンリンク伝送を送るための例示的な動作を示す。この動作は、たとえば、複数の局に（たとえばＳＤＭＡを通じて）ダウンリンク伝送を送るＡＰによって実行され得る。
【００７３】
この動作は、２２０５において、１つまたは複数の局へのダウンリンク伝送についてＮＡＶを設定することによって開始する。２２１０において、送信機会を決定する際に局が使用するための決定的スロットを備えるダウンリンク伝送が上記局に送られる。２１１５において、ＮＡＶ設定の満了より前に、決定された送信機会において送信されるアップリンク伝送が、局から受信されることができる。
【００７４】
図２３は、本発明のいくつかの態様による、戻り伝送のための決定的バックオフを含み得る、ＡＰからのダウンリンク伝送を受信する例示的な方法を示す。動作２３０５では、局が、該局へとアドレスされた情報を含むダウンリンクＳＤＭＡ  Ａ−ＭＰＤＵを受信する。次いで、動作２３１０が実行される。動作２３１０は、局によってそのＴＸＯＰのために使用されるべき決定的スロットカウントを含むＤＳＣフィールドを、受信されたＳＤＭＡ  Ａ−ＭＰＤＵが含むか否かを決定する。
【００７５】
動作２３１０が、ダウンリンク伝送が決定的スロットカウントを含まないと決定した場合、この方法は終了する。動作２３１０が、ダウンリンク伝送に含まれる決定的スロットカウントが存在すると決定した場合、動作２３１５が実行されて、上記局によって使用されるべき決定的スロットカウントを復元する。次いで、動作２３２０が実行される。動作２３２０では、局は、ダウンリンク伝送が受信されると、決定的スロットカウントをカウントダウンする。次いで、動作２３２５が実行される。動作２３２５では、上記局は、ダウンリンク伝送に応答してその（１つまたは複数の）戻りフレームを送る。いくつかの態様では、（１つまたは複数の）戻りフレームはＢＡフレームであり得る。他の態様では、（１つまたは複数の）戻りフレームは、ＢＡとアップリンクデータとを含むＡ−ＭＰＤＵであり得る。次いで、この方法は終了する。
【００７６】
図２４は、本発明のいくつかの態様による、ダウンリンク伝送のために使用され得る決定的バックオフチャネルアクセスのための例示的な方法を示す。動作２４０５において、ＡＰは、最長ダウンリンクＳＤＭＡ  ＴＸＯＰについてＮＡＶを設定する。ダウンリンクＳＤＭＡ  ＴＸＯＰは、いくつかの局のためのダウンリンクデータを含み得る。いくつかの態様では、ＮＡＶは、ＣＴＳフレームの一部として送られることができるが、他の態様では、ＮＡＶは、ＤＳＣフレームなどの非ＳＤＭＡフレームにおいて送られることができる。
【００７７】
動作２４０５の後、動作２４１０が実行される。動作２４１０では、ＤＳＣフィールドを含むＳＤＭＡ  Ａ−ＭＰＤＵなどのダウンリンク伝送が送られる。次いで、動作２４１５が実行される。動作２４１５では、アドレスされた局のうちの１つからアップリンクデータが受信される。次いで、動作２４２０が実行される。動作２４２０では、ＢＡＲが伝送に含まれるか否かを決定するために、アップリンクフレームが検査される。動作２４２０が、ＢＡＲが伝送に含まれると決定した場合、動作２４２５が実行される。他の場合、動作２４３０が実行される。
【００７８】
動作２４２５では、ＢＡが送られる。次いで、動作２４３０が実行される。動作２４３０では、アップリンクデータを送る必要がある追加の局があるか否かが決定される。アップリンクデータを送る必要がある追加の局がある場合、動作２４１５が実行される。動作２４３０が、アップリンクデータを送る必要がある追加の局がないと決定した場合、動作２４３５が実行される。
【００７９】
動作２４３５では、任意のＣＦ−Ｅｎｄフレームが送られることができる。次いで、この方法は終了する。
【００８０】
電力節約を用いたＤＳＣ
電力を節約するために、媒体をリッスンしているＳＴＡは、（ＭＣＳがＳＴＡによってサポートされないので）ＭＡＣ部分が受信され得ないとき、またはＤＡがＳＴＡ  ＭＡＣアドレスと一致しないときには、ＰＨＹヘッダにおいて示された持続時間にわたって、それらの受信機をオフにすることができる。後者は、受信誤りが生じたときにも起こり得る。ＦＣＳが受信されないので受信誤りは検証され得ないが、このことは問題にはならず、それは、欠陥のある、したがって異なるＭＡＣアドレスが受信成功をもたらしていないからである。
【００８１】
上記で説明した方法の様々な動作は、対応する機能を実行することが可能な任意の適切な手段によって実行され得る。それらの手段は、限定するものではないが、回路、特定用途向け集積回路（ＡＳＩＣ）、またはプロセッサを含めた、様々なハードウェアおよび／またはソフトウェア構成要素（複数可）および／またはモジュール（複数可）を含み得る。一般に、図に示された動作がある場合、それらの動作は、同様の番号をもつ対応するカウンターパートのミーンズプラスファンクション構成要素を有し得る。たとえば、図２１および図２２に示された動作は、図２１Ａおよび図２２Ａに示された構成要素に対応する。
【００８２】
本明細書で使用する「決定」という用語は、多種多様なアクションを包含する。たとえば、「決定」は、計算、算出、処理、導出、調査、探索（たとえば、テーブル、データベース、または別のデータ構造内の探索）、確認などを含み得る。また、「決定」は、受信（たとえば、情報を受信すること）、アクセス（たとえば、メモリ内のデータにアクセスすること）などを含み得る。また、「決定」は、解決、選択、選定、確立などを含み得る。
【００８３】
情報および信号は、多種多様な技術および技法のいずれかを使用して表され得る。たとえば、上記の説明全体にわたって言及され得るデータ、命令、コマンド、情報、信号などは、電圧、電流、電磁波、磁界または磁性粒子、光場または光学粒子、あるいはそれらの任意の組合せによって表され得る。
【００８４】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル手段デバイス（ＰＬＤ）、個別ゲートまたはトランジスタ手段、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８５】
本開示に関連して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、当技術分野で知られている任意の形態の記憶媒体中に存在し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェアモジュールは、単一の命令、または多数の命令を含むことができ、いくつかの異なるコードセグメント上で、異なるプログラム間で、および複数の記憶媒体にわたって分散されることができる。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００８６】
例示的なアルゴリズムにおいて開示されるステップは、本開示の範囲および趣旨から逸脱することなく、それらの順序を交換されることができる。また、例示的なアルゴリズムにおいて示されたステップは排他的なものではなく、本開示の範囲および趣旨に影響を及ぼすことなく、他のステップを含めることができ、または例示的なアルゴリズムにおけるステップのうちの１つまたは複数を取り除くことができる。
【００８７】
本明細書で開示される方法は、説明した方法を達成するための１つまたは複数のステップまたはアクションを備える。該方法ステップおよび／またはアクションは、本開示の範囲および趣旨から逸脱することなく互いに交換されることができる。方法ステップおよび／またはアクションは排他的なものではなく、本開示の範囲および趣旨に影響を及ぼすことなく、他の方法ステップおよび／またはアクションを含めることができ、あるいは１つまたは複数の方法ステップおよび／またはアクションを取り除くことができる。言い換えれば、ステップまたはアクションの特定の順序が指定されない限り、特定のステップおよび／またはアクションの順序および／または使用は、本開示の範囲および趣旨から逸脱することなく変更されることができる。
【００８８】
説明された機能は、ハードウェア、ソフトウェア、ファームウェア、またはそれらの組合せで実装され得る。ソフトウェアで実装された場合、機能はコンピュータ可読媒体上に１つまたは複数の命令として格納され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用されることができ、コンピュータによってアクセスされることができる、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【００８９】
本明細書では、本開示の様々な態様について、それぞれ１つまたは複数の技術的特徴とともに説明したが、本明細書で説明した様々な態様の異なる技術的特徴は、また組み合わせることもでき、その結果、本明細書で明示的には説明していない様々な組合せがもたらされることが当業者には理解されよう。さらに、いくつかの態様は複数の技術的特徴に関与することができ、それらの技術的特徴のうちの１つまたは複数は省略されることができ、その結果、やはり、本明細書で明示的には説明していない１つまたは複数の技術的特徴の様々な組合せがもたらされる。
【００９０】
一例として、いくつかの態様は、決定的スロットカウントを含むダウンリンク送信を受信することと、決定的スロットカウントに少なくとも部分的に基づいて、戻りフレームを送信するための送信機会のタイミングを決定することとを一般的に含む、ワイヤレス通信のための方法（および対応する装置）を提供し得るが、上記受信することと上記決定することとが厳密にどのように実行されるかは、異なる態様に応じて異なり得る。別の例として、いくつかの態様は、１つまたは複数の局へのダウンリンク伝送についてＮＡＶを設定することと、送信機会を決定する際に局が使用するための決定的スロットを備えるダウンリンク送信を上記局に送ることと、決定された送信機会において送信される上記局からのアップリンク送信をＮＡＶ設定の満了より前に受信することとを一般的に含む、ワイヤレス通信のための方法（および対応する装置）を提供し得るが、上記設定することと、上記送ることと、上記受信することとが、厳密にどのように実行されるかは、異なる態様に応じて異なり得る。
【００９１】
特許請求の範囲は、上記に示した精密な構成および構成要素に限定されないことを理解されたい。本開示の範囲および趣旨から逸脱することなく、上記で説明した方法および装置の構成、動作および詳細に様々な修正、変更および変形を加えることができる。
以下に、本願出願の当初の特許請求の範囲に記載された発明を付記する。
［Ｃ１］  決定的スロットカウントを含むダウンリンク伝送を受信することと、
前記決定的スロットカウントに少なくとも部分的に基づいて、戻りフレームを送信するための送信機会のタイミングを決定することと
を備える、ワイヤレス通信のための方法。
［Ｃ２］  前記決定された送信機会中に応答フレームを送信すること
をさらに備える、Ｃ１に記載の方法。
［Ｃ３］  前記送信機会のタイミングを決定することが、
前記ダウンリンク伝送の受信後に前記決定的スロットカウントによって開始されるバックオフカウンタをカウントダウンすること
を備える、Ｃ１に記載の方法。
［Ｃ４］  前記送信機会のタイミングを決定することが、
前記ダウンリンク伝送の受信後に前記決定的スロットカウントに等しい受信されたフレームの数をカウントダウンすること
を備える、Ｃ１に記載の方法。
［Ｃ５］  保証開始時間を受信することと、
先行する伝送が受信されていないと決定することに応答して、前記決定的スロットカウントではなく前記保証開始時間に基づいて、前記応答フレームを送信するための送信機会を決定することと
をさらに備える、Ｃ１に記載の方法。
［Ｃ６］  前記ダウンリンク伝送が空間分割多元接続（ＳＤＭＡ）を通じて受信される、Ｃ１に記載の方法。
［Ｃ７］  前記ダウンリンク伝送が、対応する複数の局についての複数の決定的スロットカウントを備える、Ｃ１に記載の方法。
［Ｃ８］  ＣＦ−ｅｎｄフレームを受信することをさらに備える、Ｃ１に記載の方法。
［Ｃ９］  １つまたは複数の局へのダウンリンク伝送についてＮＡＶ期間を設定することと、
送信機会を決定する際に局が使用するための決定的スロットカウントを備えるダウンリンク伝送を前記局に送ることと、
決定された送信機会において送信される前記局からのアップリンク伝送を前記ＮＡＶ期間の満了より前に受信することと
を備える、ワイヤレス通信のための方法。
［Ｃ１０］  前記アップリンク伝送が、前記決定的スロットカウントに基づいて決定された送信機会において受信される、Ｃ９に記載の方法。
［Ｃ１１］  前記ダウンリンク伝送が保証開始時間をさらに備え、
前記アップリンク伝送が、前記保証開始時間に基づいて決定された送信機会において受信される、
Ｃ９に記載の方法。
［Ｃ１２］  前記ダウンリンク伝送が空間分割多元接続（ＳＤＭＡ）を通じて他のダウンリンク伝送と同時に送られる、Ｃ９に記載の方法。
［Ｃ１３］  前記ダウンリンク伝送が、対応する複数の局についての複数の決定的スロットカウントを備える、Ｃ９に記載の方法。
［Ｃ１４］  前記ＮＡＶ期間の終了を示すＣＦ−Ｅｎｄフレームを送ること
をさらに備える、Ｃ９に記載の方法。
［Ｃ１５］  決定的スロットカウントを含むダウンリンク伝送を受信するための手段と、
前記決定的スロットカウントに少なくとも部分的に基づいて、戻りフレームを送信するための送信機会のタイミングを決定するための手段と
を備える、ワイヤレス通信のための装置。
［Ｃ１６］  前記決定された送信機会中に応答フレームを送信するための手段
をさらに備える、Ｃ１５に記載の装置。
［Ｃ１７］  前記送信機会のタイミングを決定するための前記手段が、
前記ダウンリンク伝送の受信後に前記決定的スロットカウントによってカウントダウンするための手段
を備える、Ｃ１５に記載の装置。
［Ｃ１８］  前記送信機会のタイミングを決定するための前記手段が、
前記ダウンリンク伝送の受信後に前記決定的スロットカウントに等しい受信されたフレームの数をカウントダウンするための手段
を備える、Ｃ１５に記載の装置。
［Ｃ１９］  保証開始時間を受信するための手段と、
先行する伝送が受信されていないと決定することに応答して、前記決定的スロットカウントではなく前記保証開始時間に基づいて、前記応答フレームを送信するための送信機会を決定するための手段と
をさらに備える、Ｃ１５に記載の装置。
［Ｃ２０］  前記ダウンリンク伝送が空間分割多元接続（ＳＤＭＡ）を通じて受信される、Ｃ１５に記載の装置。
［Ｃ２１］  前記ダウンリンク伝送が、対応する複数の局についての複数の決定的スロットカウントを備える、Ｃ１５に記載の装置。
［Ｃ２２］  ＣＦ−ｅｎｄフレームを受信するための手段をさらに備える、Ｃ１５に記載の装置。
［Ｃ２３］  １つまたは複数の局へのダウンリンク伝送のためのＮＡＶ期間を設定するための手段と、
送信機会を決定する際に局が使用する決定的スロットカウントを備えるダウンリンク伝送を前記局に送るための手段と、
決定された送信機会において送信される前記局からのアップリンク伝送を前記ＮＡＶ期間の満了より前に受信するための手段と
を備える、ワイヤレス通信のための装置。
［Ｃ２４］  前記アップリンク伝送が、前記決定的スロットカウントに基づいて決定された送信機会において受信される、Ｃ２３に記載の装置。
［Ｃ２５］  前記ダウンリンク伝送が保証開始時間をさらに備え、
前記アップリンク伝送が、前記保証開始時間に基づいて決定された送信機会において受信される、
Ｃ２３に記載の装置。
［Ｃ２６］  前記ダウンリンク伝送が空間分割多元接続（ＳＤＭＡ）を通じて他のダウンリンク伝送と同時に送られる、Ｃ２３に記載の装置。
［Ｃ２７］  前記ダウンリンク伝送が、対応する複数の局についての複数の決定的スロットカウントを備える、Ｃ２３に記載の装置。
［Ｃ２８］  前記ＮＡＶ期間の終了を示すＣＦ−Ｅｎｄフレームを送るための手段
をさらに備える、Ｃ２３に記載の装置。
［Ｃ２９］  ワイヤレス通信のための装置であって、
決定的スロットカウントを含むダウンリンク伝送を受信することと、
前記決定的スロットカウントに少なくとも部分的に基づいて、戻りフレームを送信するための送信機会のタイミングを決定することと
を行うように構成された少なくとも１つのプロセッサと、
前記少なくとも１つのプロセッサに結合されたメモリと
を備える、装置。
［Ｃ３０］  前記少なくとも１つのプロセッサが、
前記決定された送信機会中に応答フレームを送信すること
を行うようにさらに構成された、Ｃ２９に記載の装置。
［Ｃ３１］  前記少なくとも１つのプロセッサが、
前記ダウンリンク伝送の受信後に前記決定的スロットカウントによってカウントダウンすること
によって前記送信機会のタイミングを決定するように構成された、Ｃ２９に記載の装置。
［Ｃ３２］  前記少なくとも１つのプロセッサが、
前記ダウンリンク伝送の受信後に前記決定的スロットカウントに等しい受信されたフレームの数をカウントダウンすること
によって前記送信機会のタイミングを決定するように構成された、Ｃ２９に記載の方法。
［Ｃ３３］  前記少なくとも１つのプロセッサが、
保証開始時間を受信することと、
先行する伝送が受信されていないと決定することに応答して、前記決定的スロットカウントではなく前記保証開始時間に基づいて、前記応答フレームを送信するための送信機会を決定することと
を行うようにさらに構成された、Ｃ２９に記載の装置。
［Ｃ３４］  前記ダウンリンク伝送が空間分割多元接続（ＳＤＭＡ）を通じて受信される、Ｃ２９に記載の装置。
［Ｃ３５］  前記ダウンリンク伝送が、対応する複数の局についての複数の決定的スロットカウントを備える、Ｃ２９に記載の装置。
［Ｃ３６］  前記少なくとも１つのプロセッサが、ＣＦ−ｅｎｄフレームを受信するようにさらに構成される、Ｃ２９に記載の装置。
［Ｃ３７］  ワイヤレス通信のための装置であって、
１つまたは複数の局へのダウンリンク伝送についてＮＡＶ期間を設定することと、
送信機会を決定する際に局が使用するための決定的スロットカウントを備えるダウンリンク伝送を前記局に送ることと、
決定された送信機会において送信される前記局からのアップリンク伝送を前記ＮＡＶ期間の満了より前に受信することと
を行うように構成された少なくとも１つのプロセッサと、
前記少なくとも１つのプロセッサに結合されたメモリと
を備える、装置。
［Ｃ３８］  前記アップリンク伝送が、前記決定的スロットカウントに基づいて決定された送信機会において受信される、Ｃ３７に記載の装置。
［Ｃ３９］  前記ダウンリンク伝送が保証開始時間をさらに備え、
前記アップリンク伝送が、前記保証開始時間に基づいて決定された送信機会において受信される、
Ｃ３７に記載の装置。
［Ｃ４０］  前記ダウンリンク伝送が空間分割多元接続（ＳＤＭＡ）を通じて他のダウンリンク伝送と同時に送られる、Ｃ３７に記載の装置。
［Ｃ４１］  前記ダウンリンク伝送が、対応する複数の局についての複数の決定的スロットカウントを備える、Ｃ３７に記載の装置。
［Ｃ４２］  前記少なくとも１つのプロセッサが、
前記ＮＡＶ期間の終了を示すＣＦ−Ｅｎｄフレームを送ること
を行うようにさらに構成された、Ｃ３７に記載の装置。
［Ｃ４３］  ワイヤレス通信のためのコンピュータプログラム製品であって、
決定的スロットカウントを含むダウンリンク伝送を受信することと、
前記決定的スロットカウントに少なくとも部分的に基づいて、戻りフレームを送信するための送信機会のタイミングを決定することと
を行うように実行可能な命令を備えるコンピュータ可読媒体を備える、コンピュータプログラム製品。
［Ｃ４４］  ワイヤレス通信のためのコンピュータプログラム製品であって、
１つまたは複数の局へのダウンリンク伝送についてＮＡＶ期間を設定することと、
送信機会を決定する際に局が使用するための決定的スロットカウントを備えるダウンリンク伝送を前記局に送ることと、
決定された送信機会において送信される前記局からのアップリンク伝送を前記ＮＡＶ期間の満了より前に受信することと
を行うように実行可能な命令を備えるコンピュータ可読媒体を備える、コンピュータプログラム製品。
【図１】
0005426028.tif 000002
【図２】
0005426028.tif 000003
【図３】
0005426028.tif 000004
【図４】
0005426028.tif 000005
【図５】
0005426028.tif 000006
【図６】
0005426028.tif 000007
【図７】
0005426028.tif 000008
【図８】
0005426028.tif 000009
【図９】
0005426028.tif 000010
【図１０】
0005426028.tif 000011
【図１１】
0005426028.tif 000012
【図１２】
0005426028.tif 000013
【図１３】
0005426028.tif 000014
【図１４】
0005426028.tif 000015
【図１５】
0005426028.tif 000016
【図１６】
0005426028.tif 000017
【図１７】
0005426028.tif 000018
【図１８】
0005426028.tif 000019
【図１９】
0005426028.tif 000020
【図２０】
0005426028.tif 000021
【図２１】
0005426028.tif 000022
【図２１Ａ】
0005426028.tif 000023
【図２２】
0005426028.tif 000024
【図２２Ａ】
0005426028.tif 000025
【図２３】
0005426028.tif 000026
【図２４】
0005426028.tif 000027